(57)【要約】      （修正有）【課題】保温性に優れ、軽量で嵩張らず、しかも寝袋内の結露を緩和することができる緊急用寝袋を提供する。  【解決手段】外面からアルミニウム蒸着ポリエステル層１１、ポリエチレン層および吸水性不織布層の順で積層された積層体により形成された袋体からなる。袋体の両側面に袋体内方への折り目４を形成したマチ部を備え、マチ部における袋体の開口２近傍には、折り目４を介して袋体の側面の上部と下部とを開閉自在に接合する止着部材３，３´を備える。【選択図】図１
0003179654.tif 000002
【実用新案登録請求の範囲】
【請求項１】
外面からアルミニウム蒸着ポリエステル層、ポリエチレン層および吸水性不織布層の順で積層された積層体により形成された袋体からなることを特徴とする緊急用寝袋。
【請求項２】
前記袋体の両側面に、袋体内方への折り目を形成したマチ部を備えた請求項１記載の緊急用寝袋。
【請求項３】
前記マチ部における前記袋体の開口近傍には、前記折り目を介して袋体の側面の上部と下部とを開閉自在に接合する止着部材を設けた請求項１または２に記載の緊急用寝袋。
【考案の詳細な説明】
【技術分野】
【０００１】
本考案は、災害などの緊急時に使用される簡易な緊急用寝袋に関する。
【背景技術】
【０００２】
従来、緊急用のシュラフとしては、柔軟性があり、綿や布よりも嵩張らず、かつ防風性、防水性および保温性に優れ、また軽量で携行が可能であるという点から、アルミニウムなどの金属蒸着フィルムからなるシュラフが広く用いられている。
【０００３】
しかし、このようなシュラフは、使用時におけるシュラフ内部の熱でシュラフの内面に結露が発生し、そのため使用感が悪く不快であるという問題があった。
【考案の概要】
【考案が解決しようとする課題】
【０００４】
本考案は、保温性に優れ、軽量で嵩張らず、しかも寝袋内の結露を緩和することができる緊急用寝袋を提供することを目的とする。
【課題を解決するための手段】
【０００５】
本考案者は、上記課題を解決すべく鋭意検討を重ねた結果、シュラフ内面の吸水性を高めることによりシュラフ内部の結露を緩和することができると同時に、保温性に優れ、軽く嵩張らず、しかも寝袋内の結露を緩和することができる緊急用寝袋を提供できるという新たな事実を見出し、本考案を完成するに至った。
【０００６】
すなわち、本考案の緊急用寝袋は、以下の構成を有する。  
（１）外面からアルミニウム蒸着ポリエステル層、ポリエチレン層および吸水性不織布層の順で積層された積層体により形成された袋体からなることを特徴とする緊急用寝袋。
（２）  前記袋体の両側面に、袋体内方への折り目を形成したマチ部を備えた（１）記載の緊急用寝袋。
（３）前記マチ部における前記袋体の開口近傍には、前記折り目を介して袋体の側面の上部と下部とを開閉自在に接合する止着部材を設けた（１）または（２）に記載の緊急用寝袋。
【考案の効果】
【０００７】
本考案の緊急用寝袋は、シュラフの外面からアルミニウム蒸着ポリエステル層、ポリエチレン層および吸水性不織布層の順で形成された積層体が用いられているので、保温性に優れ、かつ結露を緩和できる。
【図面の簡単な説明】
【０００８】
【図１】本考案に係る緊急用寝袋の一実施形態を示す斜視図である。
【図２】図１に示す緊急用寝袋の構成素材の部分拡大断面図である。
【考案を実施するための形態】
【０００９】
本考案の一実施形態に係る緊急用寝袋１は、図１に示すように開口２を備えた袋体で構成され、緊急用寝袋１の外観全体がアルミニウム蒸着ポリエステル材１１で、さらに緊急用寝袋１の両側面に、袋体内方への折り目４を形成したマチ部を備え、前記マチ部における前記袋体の開口２近傍には、前記折り目４を介して袋体の側面の上部と下部とを開閉自在にするための止着部材３、３´を有する。
【００１０】
図２に示すのは、図１に示す緊急用寝袋１の構成素材の部分拡大断面図である。緊急用寝袋１は、表面側から順に、アルミニウム蒸着ポリエステル層１１、ポリエチレン層１２、吸水性不織布層１３と積層された積層体からなり、開口２を有する袋体である。
【００１１】
緊急用寝袋１のマチ部は、袋体の両側面に内方向へ折り目４を設けたものである。
【００１２】
緊急用寝袋１の表面に使用されるアルミニウム蒸着ポリエステル層１１は、高い保温性、防湿性に優れ、また汚れが付着しにくく、さらに、傷がつきにくいという特性がある。
【００１３】
緊急用寝袋１に使用されるポリエチレン層１２は、アルミニウム蒸着ポリエステル層１１の内側に設けられるものであり、アルミニウム蒸着ポリエステル層１１とは接着剤を用いたラミネート加工や、圧着処理で結合されている。
このポリエチレン層１２は、アルミニウム蒸着ポリエステル層１１と吸水性不織布層１３を接合する接着剤としても機能する。
【００１４】
緊急用寝袋１に使用される吸水性不織布層１３は、スパンボンド法により形成される不織布が用いられるのが好ましい。スパンボンド法は、長い長繊維を使用しているため、高い強度と寸法安定性を持っており、且つ、接着樹脂を使用せず、熱圧着による結合のため、安全で衛生的である。この吸水性不織布層１３は、緊急用寝袋１内の人体に直接接触することからソフト感に優れたものが好ましく、さらに吸水性も有しているものがより好ましい。このような不織布は、例えば、レーヨン、ナイロン、ポリオレフィン等の化学繊維等から形成される。
【００１５】
このように吸水性を有する吸水性不織布層１３を用いることで、緊急用寝袋１の使用時に、袋体の内面に発生する結露水を吸収して結露を緩和するので使用感が向上する。
また、上記吸水性不織布層１３及び表面のアルミニウム蒸着ポリエステル層１１は優れた保温性を有しているので、緊急用寝袋１の内部を良好に保温することが可能となる。さらに、表面にアルミニウム蒸着ポリエステル層１１を設けることにより汚れが付着しにくいという利点もある。
【００１６】
前記のような三層構造で構成された緊急用寝袋１は、保温性に優れ、また緊急用寝袋１の内側の結露の発生を緩和できるが、より結露の発生を緩和するために緊急用寝袋１の底部分に空気孔（図示せず）を設けてもよい。この空気孔は、緊急用寝袋１を折り畳む際に、内部の空気を排出して、より緊急用寝袋１をコンパクトに折り畳むことも可能にする。
【００１７】
緊急用寝袋１の表面には、夜間の使用を考えて、蓄光・蛍光のテープを貼るようにしてもよい。
【００１８】
図１に示す緊急用寝袋１は、シュラフの両側部のマチ部、特に開口２の近くに折り目を介して一対の止着部材３、３´をそれぞれ有する。この一対の止着部材３、３´によりマチ部を閉じることによって、使用時に使用者の両肩付近の隙間から熱が逃げるのを阻止して保温性を高めることが可能となる。なお、緊急用寝袋１の両側部のマチ部への一対の止着部材３、３´の設け方は特に限定されず、接着剤等を用いればよい。また、一対の止着部材３、３´は緊急用寝袋１の袋体に合わせて、その設置数や形状を適宜変えても良い。
【００１９】
このような一対の止着部材３、３´としては、例えば、面ファスナー、マグネット、凹凸ボタン、フック等があげられるが、特に面ファスナーが好ましい。
【００２０】
緊急用寝袋１は、コンパクトに折り畳んで、簡単に持ち運ぶことができるため、緊急時に使用する時に好適である。
【符号の説明】
【００２１】
１  シュラフ
２  開口
３、３´  止着部材
４  折り目
１１  アルミニウム蒸着ポリエステル層
１２  ポリエチレン層  
１３  吸水性不織布層
【図１】
0003179654.tif 000003
【図２】
0003179654.tif 000004